(57)【要約】【課題】災害時に生存できる可能性を高くする防災用品が載った防災用品リストを利用者に提示する。【解決手段】リスト作成手段502は、端末装置600の依頼手段601から利用者の属性情報を含んだリスト作成要求が送られてくると、利用者の属性情報に基づいて、利用者に合った防災袋などの防災用品収容手段の最適容積を算出する。更に、リスト作成手段502は、複数の防災用品それぞれについて、その防災用品の容積と、その防災用品が生存にどの程度貢献するかを示す貢献度とが記録された防災用品情報記憶部501の内容に基づいて、容積の合計値が上記最適容積以下になる防災用品の組み合わせであって、貢献度の合計値を最大にする防災用品の組み合わせを求める。そして、求めた防災用品の組み合わせを示すリストを端末装置600へ送信する。【選択図】図１３
2014119849.tif 000002
【特許請求の範囲】
【請求項１】
防災用品リスト作成装置と、利用者の端末装置とを備え、
前記防災用品リスト作成装置は、
複数の防災用品それぞれについて、その防災用品の容積と、その防災用品が生存にどの程度貢献するかを示す貢献度とが記録された第１の防災用品情報記憶部と、
前記端末装置から送られてきたリスト作成依頼に含まれている前記利用者の属性情報に基づいて防災用品収容手段の最適容積を算出すると共に、前記第１の防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを前記端末装置へ送信する第１のリスト作成手段とを備え、
前記端末装置は、
前記利用者の属性情報を含んだリスト作成依頼を、前記防災用品リスト作成装置に対して送信すると共に、前記リスト作成依頼に応答して前記防災用品リスト作成装置から送られてきたリストを表示部に表示する依頼手段を備えたことを特徴とする防災用品リスト作成システム。
【請求項２】
請求項１記載の防災用品リスト作成システムにおいて、
前記端末装置は、
複数の防災用品それぞれについて、その防災用品の容積と、その防災用品が生存にどの程度貢献するかを示す貢献度とが記録された第２の防災用品情報記憶部と、
災害の発生を検出する災害検出手段と、
該災害検出手段によって災害の発生が検出されたとき、前記利用者の属性情報に基づいて防災用品収容手段の最適容積を算出すると共に、前記第２の防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを前記表示部に表示する第２のリスト作成手段とを備えたことを特徴とする防災用品リスト作成システム。
【請求項３】
請求項１または２記載の防災用品リスト作成システムにおいて、
前記第１の防災用品情報記憶部には、前記複数の防災用品それぞれについて、その防災用品の重量が記録され、
前記第１のリスト作成手段は、前記利用者の属性情報に基づいて前記防災用品収容手段に入れることを許容する防災用品の総重量を算出すると共に、前記第１の防災用品情報記憶部の内容に基づいて容積の合計値が前記最適容積以下になり、且つ、重量の合計値が前記総重量以下になる防災用品の組み合わせであって、貢献度の合計値を最大にする防災用品の組み合わせを求めることを特徴とする防災用品リスト作成システム。
【請求項４】
請求項１乃至３の何れか１項に記載の防災用品リスト作成システムにおいて、
前記防災用品リスト作成装置は、前記複数の防災用品それぞれについて、その防災用品の貢献度に対する重みであって、気象条件に応じた重みが記録された重み記憶部を備え、且つ、
前記第１のリスト作成手段は、前記利用者によって指定された気象条件に対応した重みによって重み付けした貢献度の合計値を最大にする防災用品の組み合わせを求めることを特徴とする防災用品リスト作成システム。
【請求項５】
請求項４記載の防災用品リスト作成システムにおいて、
前記重み記憶部には、前記複数の防災用品それぞれについて、その防災用品の貢献度に対する重みであって、避難場所に移動するために必要になる移動時間に応じた重みが記録され、
前記第１のリスト作成手段は、前記利用者によって指定された気象条件に対応した重みと、前記利用者によって指定された出発地から最寄りの避難場所に移動するために必要になる移動時間に対応した重みとによって重み付けした貢献度を最大にする防災用品の組み合わせを求めることを特徴とする防災用品リスト作成システム。
【請求項６】
複数の防災用品それぞれについて、その防災用品の容積と、その防災用品が生存にどの程度貢献するかを示す貢献度とが記録された防災用品情報記憶部と、
端末装置から送られてきたリスト作成依頼に含まれている利用者の属性情報に基づいて防災用品収容手段の最適容積を算出すると共に、前記防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを前記端末装置へ送信するリスト作成手段とを備えたことを特徴とする防災用品リスト作成装置。
【請求項７】
複数の防災用品それぞれについて、その防災用品の容積と、その防災用品が生存にどの程度貢献するかを示す貢献度とが記録された防災用品情報記憶部と、
災害の発生を検出する災害検出手段と、
該災害検出手段によって災害が検出されたとき、利用者の属性情報に基づいて防災用品収容手段の最適容積を算出すると共に、前記防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを表示部に表示するリスト作成手段とを備えたことを特徴とする端末装置。
【請求項８】
端末装置の依頼手段が、利用者の属性情報を含んだリスト作成依頼を防災用品リスト作成装置に対して送信し、
前記防災用品リスト作成装置のリスト作成手段が、前記端末装置から送られてきたリスト作成依頼に含まれている前記利用者の属性情報に基づいて防災用品収容手段の最適容積を算出すると共に、複数の防災用品それぞれについて、その防災用品の容積と、その防災用品が生存にどの程度貢献するのかを示す貢献度とが記録されている防災用品情報記憶部の内容に基づいて容積の合計値が前記最適容量以下になる防災用品の組み合わせであって、貢献度の合計値を最大にする防災用品の組み合わせを求め、該求めた防災用品の組み合わせを示すリストを前記端末装置へ送信し、
前記端末装置の依頼手段が、前記リスト作成依頼に応答して前記防災用品リスト作成装置から送られてきたリストを表示部に表示することを特徴とする防災用品リスト作成方法。
【請求項９】
複数の防災用品それぞれについて、その防災用品の容積と、その防災用品が生存にどの程度貢献するかを示す貢献度とが記録された防災用品情報記憶部を備えたコンピュータを、
端末装置から送られてきたリスト作成依頼に含まれている利用者の属性情報に基づいて防災用品収容手段の最適容積を算出すると共に、前記防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを前記端末装置へ送信するリスト作成手段として機能させるためのプログラム。
【請求項１０】
複数の防災用品それぞれについて、その防災用品の容積と、その防災用品が生存にどの程度貢献するかを示す貢献度とが記録された防災用品情報記憶部を備えたコンピュータを、
災害の発生を検出する災害検出手段、
該災害検出手段によって災害が検出されたとき、利用者の属性情報に基づいて防災用品収容手段の最適容積を算出すると共に、前記防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを表示部に表示するリスト作成手段として機能させるためのプログラム。
【発明の詳細な説明】
【技術分野】
【０００１】
本発明は、災害時の避難行動において携帯することが望ましい防災用品のリストを作成する防災用品リスト作成システム、防災用品リスト作成装置、端末装置、防災用品リスト作成方法、及び、プログラムに関する。
【背景技術】
【０００２】
東日本大震災を契機にして防災意識が高まり、これに伴って防災袋に対する関心が高まっている。防災袋は、災害時に生存できる可能性を高めるために重要な役割を果たすものであり、収容されている防災用品の種類によって生存できる可能性が変化する。従って、防災袋にどのような防災用品を収容するかは重要な問題となる。
【０００３】
ところで、災害に備えて保管しておくべき防災用品のリストを、利用者に提示する技術としては、次のような技術が知られている（例えば、特許文献１参照）。特許文献１に記載されている技術では、単身者用の防災用品リスト、家族構成別の防災用品リストといった利用者の属性に対応した防災用品リストを予め記憶装置に登録しておく。そして、利用者端末装置から利用者の属性情報が送られてくると、管理端末装置が記憶装置から利用者の属性情報に対応した防災用品リストを読み出して利用者端末へ送信する。
【先行技術文献】
【特許文献】
【０００４】
【特許文献１】特開２００９−１１０２０８号公報
【発明の概要】
【発明が解決しようとする課題】
【０００５】
特許文献１によれば、利用者に防災用品のリストを提示することはできる。しかし、特許文献１には、予め記憶装置に登録しておいた複数の防災用品リストの中から、利用者の属性に対応した防災用品リストを読み出して利用者に提示するだけであり、防災袋の容積は考慮していない。利用者毎に適した防災袋の容積は異なるが、特許文献１では防災袋の容積を考慮していないため、防災用品リストによって提示されている防災用品が、利用者に適した容積の防災袋に入り切らない場合がある等、防災用品リストによって提示されている防災用品が、利用者に適した容積の防災袋には適切なものでない場合があるという問題がある。
【０００６】
[発明の目的]
そこで、本発明の目的は、防災用品リストによって提示されている防災用品が、利用者に適した容積の防災袋には適切なものでない場合があるという課題を解決した防災用品リスト作成システムを提供することにある。
【課題を解決するための手段】
【０００７】
本発明にかかる防災用品リスト作成システムは、
防災用品リスト作成装置と、利用者の端末装置とを備え、
前記防災用品リスト作成装置は、
複数の防災用品それぞれについて、その防災用品の容積と、その防災用品が生存にどの程度貢献するかを示す貢献度とが記録された第１の防災用品情報記憶部と、
前記端末装置から送られてきたリスト作成依頼に含まれている前記利用者の属性情報に基づいて防災用品収容手段の最適容積を算出すると共に、前記第１の防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを前記端末装置へ送信する第１のリスト作成手段とを備え、
前記端末装置は、
前記利用者の属性情報を含んだリスト作成依頼を、前記防災用品リスト作成装置に対して送信すると共に、前記リスト作成依頼に応答して前記防災用品リスト作成装置から送られてきたリストを表示部に表示する依頼手段を備える。
【０００８】
本発明に係る防災用品リスト作成装置は、
複数の防災用品それぞれについて、その防災用品の容積と、その防災用品が生存にどの程度貢献するかを示す貢献度とが記録された防災用品情報記憶部と、
端末装置から送られてきたリスト作成依頼に含まれている利用者の属性情報に基づいて防災用品収容手段の最適容積を算出すると共に、前記防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを前記端末装置へ送信するリスト作成手段とを備える。
【０００９】
本発明にかかる端末装置は、
複数の防災用品それぞれについて、その防災用品の容積と、その防災用品が生存にどの程度貢献するかを示す貢献度とが記録された防災用品情報記憶部と、
災害の発生を検出する災害検出手段と、
該災害検出手段によって災害が検出されたとき、利用者の属性情報に基づいて防災用品収容手段の最適容積を算出すると共に、前記防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを表示部に表示するリスト作成手段とを備える。
【００１０】
本発明に係る防災用品リスト作成方法は、
端末装置の依頼手段が、利用者の属性情報を含んだリスト作成依頼を防災用品リスト作成装置に対して送信し、
前記防災用品リスト作成装置のリスト作成手段が、前記端末装置から送られてきたリスト作成依頼に含まれている前記利用者の属性情報に基づいて防災用品収容手段の最適容積を算出すると共に、複数の防災用品それぞれについて、その防災用品の容積と、その防災用品が生存にどの程度貢献するのかを示す貢献度とが記録されている防災用品情報記憶部の内容に基づいて容積の合計値が前記最適容量以下になる防災用品の組み合わせであって、貢献度の合計値を最大にする防災用品の組み合わせを求め、該求めた防災用品の組み合わせを示すリストを前記端末装置へ送信し、
前記端末装置の依頼手段が、前記リスト作成依頼に応答して前記防災用品リスト作成装置から送られてきたリストを表示部に表示する。
【００１１】
本発明に係る第１のプログラムは、
複数の防災用品それぞれについて、その防災用品の容積と、その防災用品が生存にどの程度貢献するかを示す貢献度とが記録された防災用品情報記憶部を備えたコンピュータを、
端末装置から送られてきたリスト作成依頼に含まれている利用者の属性情報に基づいて防災用品収容手段の最適容積を算出すると共に、前記防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを前記端末装置へ送信するリスト作成手段として機能させる。
【００１２】
本発明に係る第２のプログラムは、
複数の防災用品それぞれについて、その防災用品の容積と、その防災用品が生存にどの程度貢献するかを示す貢献度とが記録された防災用品情報記憶部を備えたコンピュータを、
災害の発生を検出する災害検出手段、
該災害検出手段によって災害が検出されたとき、利用者の属性情報に基づいて防災用品収容手段の最適容積を算出すると共に、前記防災用品情報記憶部の内容に基づいて容積の合計値が前記最適容積以下になる防災用品の組み合わせであって、貢献度の合計値を最大にする防災用品の組み合わせを求め、該求めた防災用品の組み合わせを示すリストを表示部に表示するリスト作成手段として機能させる。
【発明の効果】
【００１３】
本発明によれば、利用者に適した容積の防災袋にとって適切な防災用品リストを提示することができるという効果を得ることができる。
【図面の簡単な説明】
【００１４】
【図１】本発明の第１の実施の形態に係る防災用品リスト作成システムの構成例を示すブロック図である。
【図２】防災用品リスト作成装置１の構成例を示すブロック図である。
【図３】防災用品情報記憶部１２４の内容例を示す図である。
【図４】重み記憶部１２５の内容例を示す図である。
【図５】携帯端末装置４の構成例を示すブロック図である。
【図６】防災用品情報記憶部４２２の内容例を示す図である。
【図７】配信情報記録手段４１１の処理例を示すフローチャートである。
【図８】依頼手段４１２の処理例を示すフローチャートである。
【図９】携帯端末装置４が防災用品リスト作成装置１に対して防災用品リストの作成を依頼したときの動作を説明するためのシーケンス図である。
【図１０】防災用品リスト作成手段１１１の処理例を示すフローチャートである。
【図１１】災害検出手段４１３の処理例を示すフローチャートである。
【図１２】防災用品リスト作成手段４１４の処理例を示すフローチャートである。
【図１３】本発明の第２の実施の形態に係る防災用品リスト作成システムの構成例を示すブロック図である。
【発明を実施するための形態】
【００１５】
[本発明の第１の実施の形態]
図１を参照すると、本発明の第１の実施の形態にかかる防災用品リスト作成システムは、防災用品リスト作成装置１と、管理端末装置２と、無線基地局３と、利用者の携帯端末装置４と、ＧＰＳ
(Global Positioning System)衛星５とを含んでいる。そして、防災用品リスト作成装置１と携帯端末装置４とは、ネットワークＮＷ及び無線基地局３を介して相互に通信可能に接続されている。
【００１６】
防災用品リスト作成装置１は、利用者の携帯端末装置４から送られてくるリスト作成要求に応答して、防災袋入れる防災用品がのった防災用品のリスト（防災用品リスト）作成して携帯端末装置４へ送信する機能や、気象情報などの各種情報を携帯端末装置４に配信する機能などを有する。
【００１７】
図２を参照すると、防災用品リスト作成装置１は、制御部１１と、記憶装置１２と、送受信部１３とを備えている。
【００１８】
記憶装置１２は、地図情報記憶部１２１と、環境情報記憶部１２２と、ケース情報記憶部１２３と、防災用品情報記憶部１２４と、重み記憶部１２５と、統計情報記憶部１２６とを備えている。
【００１９】
地図情報記憶部１２１には、地図情報が記録されている。環境情報記憶部１２２には、気温や天候などを示す気象情報と、避難場所や被害の予測区域を示すハザードマップと、予測される建物などの倒壊状況や道路の閉塞状況などを示す倒壊予測マップが記録されている。ケース情報記憶部１２３には、毎月の平均気温などの統計情報を算出するために必要になる過去の気象情報等が記録されている。
【００２０】
防災用品情報記憶部１２４には、図３に示すように、複数の防災用品それぞれについて、その防災用品を一意に識別する用品番号ｉと、その防災用品を利用者が所持しているか否かを示す所持フラグｆｉと、その防災用品が属するカテゴリと、その防災用品の容積および重量と、その防災用品が生存（生命維持）にどの程度貢献するのかを示すＳＣＦ(Survival Contribution Factor)とが記録されている。なお、所持フラグｆｉ＝「１」は、用品番号「ｉ」の防災用品を所持していることを、ｆｉ＝「０」は所持していないことを示す。また、防災用品情報記憶部１２４に記録されている全ての防災用品の所持フラグｆｉは全て「０」になっている。
【００２１】
重み記憶部１２５には、図４に示すように、防災用品の用品番号ｉに関連付けて、その防災用品のＳＣＦｉに対する気温Ｔに応じた重みＡｉｊ（ｉは用品番号、ｊは１，２または３）と、避難場所までの移動時間ＳＴに応じた重みＢｉｊとが記録されている。例えば、気温ＴがＴ１未満で、移動時間ＳＴがＳＴ２以上の場合は、用品番号「１」の防災用品のＳＣＦ１に対する、気温Ｔに応じた重みがＡ１１で、移動時間ＳＴに応じた重みがＢ１３となる。
【００２２】
より具体的には、気温Ｔが高いとき程、生存に貢献する水などの防災用品のＳＣＦに対する気温Ｔに応じた重みは、気温Ｔが高いとき程、重み付け後のＳＣＦの値を大きくするようになっている。反対に、気温Ｔが低いとき程、生存に貢献する防寒着などの防災用品のＳＣＦに対する気温Ｔに応じた重みは、気温Ｔが低いとき程、重み付け後のＳＣＦの値を大きくするようになっている。
【００２３】
また、避難場所へ移動中の方が、避難場所に到着後よりも生命維持に貢献する避難用品のＳＣＦに対する、移動時間ＳＴに応じた重みは、移動時間ＳＴが長いとき程、重み付け後のＳＣＦの値を大きくするようになっている。反対に、避難場所に到着後の方が、避難場所に移動中よりも生命維持に貢献する防災用品のＳＦＣに対する、移動時間ＳＴに応じた重みは、移動時間ＳＴが短いとき程、重み付け後のＳＣＦの値を大きくするようになっている。なお、本実施の形態では、気温Ｔに応じた重みと、移動時間ＳＴに応じた重みを重み記憶部１２５に記録するようにしたが、これに限られるものではなく、気温以外の気象条件（例えば、晴れ、雨、雪などの天候）に応じた重みを記録するようにしても良い。
【００２４】
統計情報記憶部１２６には、ケース情報記憶部１２３に記録されている気象情報に対して行った統計処理結果（例えば、毎月の平均気温など）が記録されている。
【００２５】
送受信手段１３は、ネットワークＮＷ、無線基地局３を介して、利用者の携帯端末装置４とデータをやり取りする機能を有する。
【００２６】
制御部１１は、防災用品リスト作成手段１１１と、更新手段１１２と、配信手段１１３と、統計手段１１４とを備えている。
【００２７】
防災用品リスト作成手段１１１は、携帯端末装置４から、利用者の属性情報、利用者が所持している防災用品の用品番号のリスト（所持品リスト）、気温Ｔ、および、出発地の位置情報（例えば、緯度経度や住所）を含むリスト作成依頼が送られてきたとき、下記の処理を行う機能を有する。なお、利用者の属性情報は、身長、体重、既往歴、年齢、性別、防災袋の保管場所などを含む。
【００２８】
・利用者の属性情報と、出発地の位置情報と、環境情報記憶部１２２に記録されているハザードマップおよび倒壊予測マップとに基づいて、出発地から最寄りの避難場所までの最短経路および移動時間ＳＴを求める処理。
・利用者の属性情報に基づいて、防災袋の最適サイズ（縦、横、高さの長さ）および最適サイズに対応した防災袋の容積（最適容積＝縦×横×高さ）を算出する処理。
・利用者の属性情報に基づいて、防災袋に入れることを許容する防災用品の総重量を算出する処理。
・携帯端末装置４から送られてきた所持品リストによって示される、利用者が所持している防災用品を対象にして、容積の合計値が上記算出した最適容積以下で、且つ、重量の合計値が上記算出した総重量以下になる防災用品の組み合わせであって、重み記憶部１２５に記録されている気温Ｔに対応する重みＡｉｊと、移動時間ＳＴに対応する重みＢｉｊとにより重み付けしたＳＦＣの合計値を最大にする防災用品の組み合わせを求める処理。
・求めた組み合わせに含まれている防災用品の用品名が載った防災用品リストを作成する処理。
・作成した防災用品リストと、算出した防災袋の最適サイズと、出発地から避難場所までの最短経路を示す最短経路情報とを携帯端末装置４へ送信する処理。
【００２９】
更に、防災用品リスト作成手段１１１は、管理者によって管理端末装置２から入力される防災用品リスト作成指示に従って、例えば、月毎の標準的な防災用品リストを作成し、作成した防災用品リストを管理端末装置２へ出力する機能を有する。例えば、１月の標準的な防災用品リストを作成する場合は、防災用品情報記憶部１２４に記録されている全ての防災用品を対象にして、容積の合計値が予め定められている標準容積以下で、且つ、重量の合計値が予め定められている標準重量以下になる防災用品の組み合わせであって、１月の平均気温（統計情報記憶部１２６に記録されている）に対応する重みと、予め定められている平均的な移動時間に対応する重みとにより重み付けしたＳＣＦの合計値を最大にする防災用品の組み合わせを求め、その組み合わせに含まれている防災用品が載った防災用品リストを作成して管理端末装置２へ出力する。管理者は、例えば、防災用品リスト作成装置１から送られてきた月毎の防災用品リストをインターネット等で公開する。
【００３０】
更新手段１１２は、管理端末装置２から入力される更新指示に従って、地図情報記憶部１２１に記録されている地図情報や、環境情報記憶部１２２に記録されている気象情報、ハザードマップ、倒壊予測マップや、ケース情報記憶部１２３に記録されている気象情報を更新する機能を有する。
【００３１】
配信手段１１３は、所定のタイミングで、地図情報記憶部１２１に記録されている地図情報や、環境情報記憶部１２２に記録されている気象情報、ハザードマップ、倒壊予測マップや、防災用品情報記憶部１２４に記録されている防災用品に関する情報（防災用品情報）や、重み記憶部１２５に記録されているＳＣＦに対する重みを、ネットワークＮＷ及び無線基地局３を介して携帯端末装置４へ配信する機能を有する。
【００３２】
統計手段１１４は、ケース情報記憶部１２３に記録されている気象情報等に基づいて、毎月の平均気温などの統計情報を算出し、算出した統計情報を統計情報記憶部１２６に記録する。
【００３３】
なお、防災用品リスト作成手段１１１、更新手段１１２、配信手段１１３、及び、統計手段１１４は、コンピュータによって実現可能であり、コンピュータによって実現する場合は、例えば、次のようにする。コンピュータを上記各手段１１１〜１１４として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に上記各手段１１１〜１１４を実現する。
【００３４】
携帯端末装置４は、防災用品リスト作成装置１に対してリスト作成依頼を送信して防災用品リストの作成を依頼する機能や、リスト作成指示に応答して防災用品リスト作成装置１から送られてくる防災用品リストや防災袋の最適サイズを表示部４６に表示する機能や、災害発生を検出する機能や、災害発生検出時に防災用品リストを作成する機能や、防災用品リスト作成装置１から送られてきた各種情報を記録する機能を有する。
【００３５】
図５を参照すると、携帯端末装置４は、制御部４１と、記憶装置４２と、送受信部４３と、ＧＰＳ処理部４４と、キー入力部などの入力部４５と、ＬＣＤなどの表示部４６とを備えている。
【００３６】
記憶装置４２は、属性情報記憶部４２１と、防災用品情報記憶部４２２と、地図情報記憶部４２３と、環境情報記憶部４２４と、防災用品リスト記憶部４２５と、重み記憶部４２６とを備えている。
【００３７】
属性情報記憶部４２１には、利用者の身長、体重、既往歴、年齢、性別、防災袋の保管場所の位置情報（住所や緯度経度）などの利用者の属性情報が記録されている。
【００３８】
防災用品情報記憶部４２２には、防災用品リスト作成装置１から配信された防災用品情報が記録される。地図情報記憶部４２３には、防災用品リスト作成装置１から配信された地図情報が記録される。環境情報記憶部４２４には、防災用品リスト作成装置１から配信された気象情報、ハザードマップ、及び、倒壊予測マップが記録される。防災用品リスト記憶部４２５には、リスト作成依頼に応答して防災用品リスト作成装置１から送られてきた防災用品リストが記録される。重み記憶部４２６には、防災用品リスト作成装置１かあら配信された防災用品のＳＣＦｉに対する気温Ｔに応じた重みＡｉｊと、移動時間ＳＴに応じた重みＢｉｊとが記録される。
【００３９】
送受信部４３は、無線基地局３及びネットワークＮＷを介して防災用品リスト作成装置とデータをやり取りする機能を有する。
【００４０】
ＧＰＳ処理部４４は、ＧＰＳ衛星５から送られてくる情報に基づいて、自端末装置４の現在位置を検出する機能や、ＧＰＳ衛星５からの情報を受信できない場合、そのことを示す信号を制御部４１に対して出力する機能を有する。
【００４１】
制御部４１は、配信情報記録手段４１１と、依頼手段４１２と、災害検出手段４１３と、防災用品リスト作成手段４１４とを備えている。
【００４２】
配信情報記録手段４１１は、防災用品リスト作成装置１から配信されている配信情報を受信したとき、上記受信した情報に付加されている更新日時と、記憶装置４２上の該当する情報に付加されている更新日時とを比較することにより、更新されているか否かを判定し、更新されている場合は、記憶装置４２上の該当する情報を、受信した配信情報で置き換える機能を有する。例えば、受信した情報が気象情報である場合は、受信した気象情報に付加されている更新日時と、環境情報記憶部４２４に記録されている気象情報に付加されている更新日時とを比較することにより、気象情報が更新されているか否かを判定し、更新されている場合は、環境情報記憶部４２４に記録されている気象情報を受信情報で置き換える。
【００４３】
依頼手段４１２は、利用者によって入力部４５からリスト作成依頼送信指示が入力されることにより、下記の処理を行う機能を有する。
【００４４】
・防災用品情報記憶部４２２に記録されている防災用品の用品番号ｉと用品名と選択欄が載った所持品選択欄を表示部４６に表示し、利用者に所持している防災用品を選択させる処理。
・防災用品情報記憶部４２２に記録されている所持フラグｆｉの内、利用者によって選択された防災用品に対応する所持フラグｆｉを「１」とし、選択されなかった防災用品に対応する所持フラグｆｉを「０」とする処理。例えば、利用者によって、用品番号が「１，１１，１２」の「水（ペットボトル）、雨合羽、防寒着」が選択された場合、防災用品記憶部４２２の内容は、図６に示すものとなる。
・表示部４６に出発地の位置情報および気温の入力欄を表示する処理。
・上記入力欄を用いて入力された出発地の位置情報および気温と、属性情報記憶部４２１に記録されている利用者の属性情報と、所持フラグｆｉが「１」となっている防災用品の用品番号のリスト（所持品リスト）とを含んだリスト作成依頼を防災用品リスト作成装置１へ送信する処理。
・リスト作成依頼に応答して防災用品リスト作成装置１から送られてきた防災用品リスト及び防災袋の最適サイズを表示部４６に表示すると共に、防災用品リスト記憶部４２５に記録する処理。
・リスト作成依頼に応答して防災用品リスト作成装置１から送られてきた最短経路情報と、地図情報記憶部４２３に記録されている地図情報とに基づいて、表示部４６に出発地から避難場所までの最短経路を表示する処理。
【００４５】
災害検出手段４１３は、災害を検出する機能や、災害を検出したとき、防災用品リスト作成手段４１４を起動する機能を有する。
【００４６】
防災用品リスト作成手段４１４は、災害検出手段４１３によって災害が検出されたとき、及び、利用者によって入力部４５から防災用品リスト作成指示が入力されたとき、以下の処理を行う機能を有する。
【００４７】
・属性情報記憶部４２１に記録されている利用者の属性情報と、環境情報記憶部４２４に記録されているハザードマップ及び倒壊予測マップと、出発地の位置情報とに基づいて、出発地から最寄りの避難所までの最短経路と移動時間ＳＴとを求める処理。なお、本実施の形態では、出発地の位置情報をＧＰＳ処理部４４で検出されている自端末装置４の現在位置とする。
・属性情報記憶部４２１に記録されている利用者の属性情報に基づいて、防災袋の最適サイズ（縦、横、高さの長さ）と、最適サイズに対応する防災袋の容積（最適容積）を算出する処理。
・属性情報記憶部４２１に記録されている利用者の属性情報に基づいて、防災袋に入れることを許容する防災用品の総重量を算出する処理。
・防災用品情報記憶部４２２に記録されている所持フラグｆｉが「１」になっている防災用品を対象にして、容積の合計値が上記算出した最適容積以下で、且つ、重量の合計値が上記算出した総重量以下となる防災用品の組み合わせであって、重み記憶部４２６に記録されている気温Ｔに応じた重みＡｉｊと移動時間ＳＴに応じた重みＢｉｊで重み付けしたＳＣＦｉの合計値が最大になる防災用品の組み合わせを求める処理。
・求めた組み合わせに含まれている防災用品の用品名が載った防災用品リストを作成する処理。
・作成した防災用品リストや算出した防災袋の最適サイズと表示部４６に表示したり、算出した最短経路と地図情報記憶部４２３に記録されている地図情報とに基づいて、出発地から最寄りの避難場所までの最短経路を表示部４６に表示したりする処理。
【００４８】
なお、配信情報記録手段４１１、依頼手段４１２、災害検出手段４１３、及び、防災用品リスト作成手段４１４は、ＣＰＵ（中央処理装置）によって実現可能であり、その場合は、例えば、次のようにする。ＣＰＵを上記各手段４１１〜４１４として機能させるためのプログラムを記録したディスク、半導体メモリ、その他の記録媒体を用意し、ＣＰＵに上記プログラムを読み取らせる。ＣＰＵは、読み取ったプログラムに従って自身の動作を制御することにより、自ＣＰＵ上に、上記各手段４１１〜４１４を実現する。
【００４９】
次に、本実施の形態の動作について説明する。
【００５０】
先ず、携帯端末装置４の配信情報記録手段４１１の動作について説明する。前述したように、防災用品リスト作成装置１の配信手段１１３は、所定のタイミングで地図情報記憶部１２１に記録されている地図情報や、環境情報記憶部１２２に記録されている気象情報、ハザードマップ、倒壊予測マップや、防災用品情報記憶部１２４に記録されている防災用品情報や、重み記憶部１２５に記録されているＳＣＦに対する重みを、ネットワークＮＷ及び無線基地局３を介して配信している。
【００５１】
携帯端末装置４内の配信情報記録手段４１１は、防災用品リスト作成装置１によって配信されている配信情報を受信すると、図７のフローチャートに示すように、配信情報が更新されているか否かを判定する（ステップＳ７１）。この判定は、例えば、配信情報に付加されている更新日時と、記憶装置４２に記録されている該当する情報に付加されている更新日時とを比較することにより行う。そして、更新されている場合（ステップＳ７１がＹｅｓ）は、記憶装置４１に記録されている該当する情報を、受信した配信情報で置き換える（ステップＳ７２）。
【００５２】
次に、携帯端末装置４の利用者が、災害発生に備えて避難袋を用意するために、入力部４５からリスト作成依頼送信指示が入力した場合の動作を説明する。
【００５３】
リスト作成依頼送信指示が入力されると、携帯端末装置４内の依頼手段４１２は、図８のフローチャートに示すように、防災用品情報記憶部４２２に記録されている防災用品の用品番号ｉと用品名と選択欄とを表示部４６に表示し、利用者に所持している防災用品を選択させる。そして、防災用品情報記憶部４２２に記録されている所持フラグｆｉの内、利用者によって選択された防災用品に対応する所持フラグｆｉを「１」とし、選択されなかった防災用品に対応する所持フラグｆｉを「０」とする（ステップＳ８１）。
【００５４】
その後、依頼手段４１２は、表示部４６に出発地の位置情報および気温の入力欄を表示し、利用者に出発地の位置情報および気温を入力させる（ステップＳ８２）。ここで、利用者は、出発地の位置情報として、例えば、防災袋の保管場所の位置情報を入力し、気温として、例えば、今月の平均気温を入力する。なお、利用者に出発地の位置情報および気温を入力させる代わりに、例えば、属性情報記憶部４２１に記録されている防災袋の保管場所の位置情報や、環境情報記憶部４２４に記録されている気象情報中の今月の平均気温を利用するようにしてもよい。
【００５５】
次に、依頼手段４１２は、ステップＳ８２で入力された出発地の位置情報および気温と、属性情報記憶部４２１に予め記録されている利用者の属性情報と、所持フラグｆｉが「１」となっている防災用品の用品番号が載った所持品リストとを含んだリスト作成依頼を防災用品リスト作成装置１へ送信する（ステップＳ８３、図９のステップＳ９１）。
【００５６】
防災用品リスト作成装置１内の防災用品リスト作成手段１１１は、携帯端末装置４からリスト作成依頼が送られてくると、図１０のフローチャートに示すように、先ず、リスト作成依頼に含まれている位置情報によって示される出発地から最寄りの避難場所までの移動時間ＳＴを算出する（ステップＳ１０１）。この移動時間ＳＴは、例えば、次のようにして算出する。先ず、次式（１）に示す演算を行い、利用者の移動速度ｖ(km/h)を算出する。
【００５７】
ｖ[km/h]＝７２×（身長[cm]÷３−体重[kg]÷６）÷年代×既往歴指数  …（１）
【００５８】
ここで、年代は年齢の十の位の数字である。但し、年齢が２０歳までは、「１」とする。また、既往歴指数は、既往歴によって示される過去にかかった病気が、利用者の体力低減にどの程度影響を及ぼしているかを示すものであり、０＜既往歴指数≦１の数値範囲で与えられる。既往歴がない場合は既往歴指数＝１であり、過去にかかった病気の数が多いほど、既往歴指数は小さな値になる。
【００５９】
次いで、防災用品リスト作成手段１１１は、ハザードマップと倒壊予測マップとに基づいて、出発地から最寄りの避難場所までの最短経路であって、建物などの倒壊によって通行不能になっている部分は迂回する最短経路を求める。その後、防災用品リスト作成手段１１１は、最短経路の距離Ｌ[km]を求め、更に、次式（２）に示す演算を行うことにより、出発地から退避場所までの移動時間ＳＴを求める。以上がステップＳ１０１で行う処理の詳細である。
【００６０】
ＳＴ[ｈ]＝Ｌ[km]÷ｖ[km/h]  …（２）
【００６１】
次に、防災用品リスト作成手段１１１は、リスト作成依頼に含まれている利用者の属性情報に基づいて、利用者に合った防災袋の最適サイズを算出する。例えば、防災用品リスト作成手段１１１は、次式（３）、（４）に示す演算を行うことにより、防災袋の高さと横の長さを求める。また、防災袋の縦の長さは、利用者の年齢が６歳未満の場合は１５cm、利用者が女性で６歳以上の場合は２０cm、利用者が男性で６歳以上の場合は３０cmとする。更に、防災用品リスト作成手段１１１は、次式（５）に示す演算を行うことにより、防災袋のサイズを上記サイズにしたときの容積（最適容積Ｃv）を算出する（ステップＳ１０２）。
【００６２】
高さ[cm]＝利用者の身長[cm]×0.25  …（３）
横[cm]＝利用者の体重[kg]×0.6     …（４）
最適容積Ｃv[cm3]＝縦[cm]×横[cm]×高さ[cm]  …（５）
【００６３】
その後、防災用品リスト作成手段１１１は、次式（６）に示す演算を行うことにより、防災袋に入れることを許容する防災用品の総重量Ｃwを算出する（ステップＳ１０３）。
【００６４】
総重量Ｃw[kg]＝利用者の体重[kg]×0.1  …（６）
【００６５】
次に、防災用品リスト作成手段１１１は、次式（７）、（８）に示す制約条件を満足させ、且つ次式（９）に示す目的関数の値を最大にする防災用品の組み合わせを求める（ステップＳ１０４）。
【００６６】
Σ（VOLUMEｉ×fi×xi）≦Ｃv    …（７）
Σ（WEIGHTｉ×fi×xi）≦Ｃw    …（８）
maxΣ（fi×xi×SCFi×Aij×Bij）    …（９）
【００６７】
ここで、VOLUMEｉは、用品番号がｉの防災用品の容積、fiは利用者が用品番号ｉの防災用品を所持いるか否かを示す所持フラグ、xiは用品番号ｉの防災用品を防災袋に入れることを許容するか否かを示す許容フラグ、WEIGHTｉは用品番号がｉの防災用品の重量、SCFiは用品番号ｉの防災用品のＳＦＣ、Aijは用品番号ｉの防災用品のSCFiに対する重みであって、気温Ｔに応じた重み、Bijは用品番号ｉの防災用品のSCFiに対する重みであって、避難場所までの移動時間ＳＴに応じた重みである。なお、所持フラグfiは、リスト作成依頼に含まれている所持品リストに対応する用品番号が載っているものだけ「１」にされ、それ以外が「０」にされる。例えば、所持品リストに用品番号１〜１０が載っている場合は、所持フラグf1〜f10が「１」にされ、それ以外は「０」にされる。また、許容フラグxiは、防災袋に入れることを許容する防災用品に対応するものは「１」にされ、許容しない防災用品に対応するものは“０”にされる。
【００６８】
つまり、防災用品リスト作成手段１１１は、携帯端末装置４の利用者が所持している防災用品を対象にして、容積の合計値がステップＳ１０２で算出した最適容積Ｃv以下で、且つ重量の合計値がステップＳ１０３で算出した総重量Ｃw以下となる防災用品の組み合わせであって、重み記憶部１２５に記録されている気温Ｔに応じた重みＡijと移動時間ＳＴに応じた重みＢijで重み付けしたＳＣＦの合計値を最大にする防災用品の組み合わせを求める。
【００６９】
その後、ステップＳ１０４で求めた組み合わせに含まれている防災用品の用品名が載った防災用品リストを作成し、この防災用品リストと、防災袋の最適サイズと、最短経路情報とを依頼元の携帯端末装置４へ送信する（ステップＳ１０６、図９のステップＳ９２）。
【００７０】
一方、携帯端末装置４の依頼手段４１２は、防災用品リスト作成装置１から送られてくる防災用品リスト、防災袋の最適サイズ、及び最短経路情報を受信すると（図８のステップＳ８４がＹｅｓ）、利用者の指示に従って、それらを表示部４６に表示し、その後、受信した防災用品リストを防災用品リスト記憶部４２５に記録する（ステップＳ８５、Ｓ８６）。利用者は、例えば、表示された最適サイズの防災袋を購入したり、防災袋に防災用品リストに載っている防災用品を収容したりして、災害の発生に備える。
【００７１】
なお、ステップＳ８５で防災用品リストを表示部４６に表示する際、今回、防災用品リスト作成装置１から送られてきた防災用品リストと、防災用品リスト記憶４２５に記録されている過去に防災用品リスト作成装置１から送られてきた防災用品リスト（例えば、前回のリスト作成依頼時に送られてきた防災用品リスト）との差分部分（今回の防災用品リストには載っているが、前回の防災用品リストには載っていない防災用品の用品名）の表示形態をハイライト表示にするなど、他の部分と異なる表示形態にするようにしてもよい。また、前回の防災用品リストには載っていたが、今回の防災用品リストには載っていない防災用品の用品名のリストを表示部４６に表示するようにしてもよい。このような表示を行うことにより、新たに防災袋に入れるべき防災用品や、取り出すべき防災用品を容易に認識することができる。また、利用者は、防災用品リスト記憶部４２５に記録されている防災用品リストを表示部４６に表示する場合は、入力部４５から表示指示を入力する。これにより、制御部４１は、防災用品リスト記憶部４２５から防災用品リストを読み出し表示部４６に表示する。
【００７２】
次に、災害検出手段４１３の動作について、図１１のフローチャートを参照して説明する。災害検出手段４１３は、ＧＰＳ衛星５からの情報を受信できている場合（ステップＳ１１１がＹｅｓ）は、無線基地局３からの電波を受信できない状態（圏外）一定時間以上継続しているか否かを判定する（ステップＳ１１２）。そして、圏外になっている時間が一定時間以上継続した場合（ステップＳ１１２がＹｅｓ）は、災害が発生したと判断して、防災用品リスト作成手段１４１を起動する（ステップＳ１１３）。つまり、ＧＰＳ衛星５からの情報を受信できる屋外にいるのに、一定時間以上継続して圏外になるのは、災害が発生し、無線基地局３や電源供給設備などが倒壊したからだと判断する。
【００７３】
なお、災害の検出方法は、上記した方法に限られるものではなく、例えば、次のような方法を採ることもできる。事前に屋内の位置情報を記憶装置に記録しておき、上記記録されている位置情報と、ＧＰＳ衛星５から受信した情報によって示される位置情報とが一致した場合は、災害が発生したと判断する。つまり、屋内にいるのに、ＧＰＳ衛星５からの情報を受信できるのは、災害により建物が倒壊したからだと判断する。また、例えば、特開２０１２−１０３２３３号公報に記載されている屋内屋外判別処理による識別推定を用い、過去の実際のデータ（学習データ）で屋外と判別されていた所や、明確に無線基地局３の情報を受信していた所で、圏外に変化した場合は災害が発生したと判断する。また、例えば、もともと携帯端末装置が持つ受信可能な無線基地局リスト（移動体通信で携帯端末装置が受信する隣接基地局リスト）に該当する無線基地局からの受信電力が、一定時間以上継続して閾値以下になった場合、災害が発生したと判定する。なお、例えば、W-CDMAの場合は、隣接基地局リストには、接続候補となる基地局のスクランブリングコード（基地局のセクタ単位で識別可能）と、接続候補となる基地局から受信する電力と、Ec/No（CINR：キャリア信号電力対ノイズ比に相当する物理量）とが記録される。
【００７４】
次に、防災用品リスト作成手段４１４の動作について、図１２のフローチャートを参照して説明する。防災用品リスト作成手段４１４は、災害検出手段４１３によって起動されたとき、及び、利用者によって入力部４５から防災用品リスト作成指示が入力されたとき、図１２のフローチャートに示す処理を行う。
【００７５】
先ず、防災用品リスト作成手段４１４は、属性情報記憶部４２１に記録されている利用者の属性情報と、環境情報記憶部４２４に記録されているハザードマップ及び倒壊予測マップと、出発地の位置情報とに基づいて、ＧＰＳ処理部４４によって検出されている自端末装置４の現在位置から最寄りの避難所までの最短経路と移動時間ＳＴとを求める（ステップＳ１２１）。移動時間ＳＴの算出方法は、前出のステップＳ１０１で説明した算出方法と同様である。
【００７６】
次に、防災用品リスト作成手段４１４は、属性情報記憶部４２１に記録されている利用者の属性情報に基づいて、防災袋の最適サイズ（縦、横、高さの長さ）と最適容積Ｃｖを算出する（ステップＳ１２２）。その後、属性情報記憶部４２１に記録されている利用者の属性情報に基づいて、防災袋に入れることを許容する防災用品の総重量Ｃｗを算出する（ステップＳ１２３）。最適サイズ、総重量の算出方法は、前出のステップＳ１０２、Ｓ１０３で説明した算出方法と同様である。
【００７７】
次に、防災用品リスト作成手段４１４は、前出の式（７）、（８）に示す制約条件を満足させ、且つ、前出の式（９）に示す目的関数の値を最大にする防災用品の組み合わせを求める（ステップＳ１２４）。つまり、防災用品情報記憶部４２２に記録されている所持フラグｆｉが「１」になっている防災用品を対象にして、容積の合計値が上記算出した最適容積以下で、且つ、重量の合計値が上記算出した総重量以下となる防災用品の組み合わせであって、重み記憶部４２６に記録されている気温Ｔに応じた重みＡｉｊと移動時間ＳＴに応じた重みＢｉｊで重み付けしたＳＣＦの合計値が最大になる防災用品の組み合わせを求める。
【００７８】
その後、防災用品リスト作成手段４１４は、ステップＳ１２４で求めた組み合わせに含まれている防災用品の用品名が載った防災用品リストを作成し、作成した防災用品リストや、防災袋の最適サイズや、現在位置から最寄りの避難場所までの最短経路を示す地図などを表示部４６に表示する（ステップＳ１２５、Ｓ１２６）。なお、防災用品リストを表示部４６に表示する際、今回、防災用品リスト作成装置１から送られてきた防災用品リストと、防災用品リスト記憶４２５に記録されている過去に防災用品リスト作成装置１から送られてきた防災用品リスト（例えば、前回のリスト作成依頼時に送られてきた防災用品リスト）との差分部分（今回の防災用品リストには載っているが、前回の防災用品リストには載っていない防災用品の用品名）の表示形態をハイライト表示にするなど、他の部分と異なる表示形態にするようにしてもよい。また、前回の防災用品リストには載っていたが、今回の防災用品リストには載っていない防災用品の用品名のリストを表示部４６に表示するようにしてもよい。
【００７９】
なお、上述した実施の形態では説明しなかったが、防災用品リスト作成装置１を冗長構成にしてもよい。また、上述した実施の形態では、防災用品リスト作成装置１は携帯端末装置４からリスト作成依頼が送られてきたとき、利用者が所持している防災用品（所持品リストに用品番号が載っている防災用品）だけを対象にして防災用品リストを作成したが、防災用品情報記憶部１２４に記録されている全ての防災用品を対象にして、防災用品リストを作成するようにしてもよい。また、上述した実施の形態では、防災用品を収容する防災用品収容手段を防災袋としたが、これに限られるものではなく、リックサックや、ナップサックでもよい。
【００８０】
[第１の実施の形態の効果]
本実施の形態によれば、利用者に適した容積の防災袋にとって適切な防災用品リストを提示することができるという効果を得ることができる。その理由は、利用者の属性情報に基づいて、利用者に適した防災袋の容積（最適容積）を求めと共に、容積の合計値が上記最適容量以下になる防災用品の組み合わせであって、ＳＣＦの合計値を最大にする防災用品の組み合わせを求め、この組み合わせに含まれる防災用品を防災用品リストに載せる防災用品としているからである。
【００８１】
また、本実施の形態では、利用者の属性情報に基づいて、防災袋に入れることを許容する防災用品の総重量も求め、容積の合計値が上記最適容積以下であって、かつ重量の合計値が上記総重量以下となる防災用品の組み合わせであって、ＳＣＦの合計値が最大になる防災用品の組み合わせを求めるようにしているので、避難時に、防災袋が重すぎて、持ち運べなくなるといった事態の発生を防ぐことができる。
【００８２】
更に、本実施の形態では、気温などの気象条件や、避難場所までの移動時間に応じてＳＣＦを重み付けしているので、避難時の気象条件や、避難場所までの移動時間に合った防災用品リストを作成することができる。
【００８３】
また、本実施の形態では、新たに作成した防災用品リストを表示部に表示する際、以前に作成した防災用品リストとの差分部分の表示形態を他の部分と異なるものにしているので、どのような防災用品を新たに防災袋に入れなければならないかを容易に把握することができる。
【００８４】
また、本実施の形態は、携帯端末装置４自身が防災用品リスト作成手段４１４を備えているので、災害時に防災用品リスト作成装置１と通信できなくなっても、防災用品リストを作成することができる。
【００８５】
[発明の第２の実施の形態]
次に、本発明の第２の実施の形態について説明する。
【００８６】
図１３を参照すると、本発明の第２の実施の形態に係る防災用品リスト作成システムは、防災用品リスト作成装置５００と、利用者の端末装置６００とを備えている。
【００８７】
防災用品リスト作成装置５００は、防災用品情報記憶部５０１と、リスト作成手段５０２とを備えている。また、端末装置６００は、依頼手段６０１を備えている。
【００８８】
端末装置６００の依頼手段６０１は、利用者の属性情報を含んだリスト作成依頼を防災用品リスト作成装置５００へ送信する。
【００８９】
防災用品リスト作成装置５００内のリスト作成手段５０２は、端末装置６００からリスト作成依頼が送られてくると、利用者の属性情報に基づいて、防災袋やナップサック等の防災用品収容手段の最適容積を算出する。更に、リスト作成手段６０１は、複数の防災用品それぞれについて、その防災用品の容積と、その防災用品が生存にどの程度貢献するかを示す貢献度とが記録されている防災用品情報記憶部５０１の内容に基づいて、容積の合計値が上記最適容積以下になる防災用品の組み合わせであって、貢献度の合計値を最大にする防災用品の組み合わせを求める。そして、求めた防災用品の組み合わせを示すリストを端末装置５００へ送信する。
【００９０】
端末装置６００の依頼手段６０１は、防災用品リスト作成装置５００からリストが送られてくると、それを表示部に表示する。
【００９１】
[第２の実施の形態の効果]
本実施の形態によれば、利用者に適した容積の防災用品収容手段にとって適切な防災用品リストを提示することができるという効果を得ることができる。その理由は、利用者の属性情報に基づいて、利用者に適した防災用品収容手段の容積（最適容積）を求めると共に、容積の合計値が上記最適容積以下になる防災用品の組み合わせであって、貢献度の合計値を最大にする防災用品の組み合わせを求め、この組み合わせに含まれている防災用品の用品名をリストに載せるようにしているからである。
【産業上の利用可能性】
【００９２】
本発明は、災害訓練教育のシステム、地方自治体が提供する防災システム、及び、携帯端末装置などに適用できる。
【符号の説明】
【００９３】
１  防災用品リスト作成装置
１１  制御部
１１１  防災用品リスト作成手段
１１２  更新手段
１１３  配信手段
１１４  統計手段
１２  記憶装置
１２１  地図情報記憶部
１２２  環境情報記憶部
１２３  ケース情報記憶部
１２４  防災用品情報記憶部
１２５  重み記憶部
１２６  統計情報記憶部
１３  送受信部
２  管理端末装置
３  無線基地局
４  携帯端末装置
４１  制御部
４１１  配信情報記録手段
４１２  依頼手段
４１３  災害検出手段
４１４  防災用品リスト作成手段
４２  記憶装置
４２１  属性情報記憶部
４２２  防災用品情報記憶部
４２３  地図情報記憶部
４２４  環境情報記憶部
４２５  防災用品リスト記憶部
４２６  重み記憶部
４３  送受信部
４４  ＧＰＳ処理部
４５  入力部
４６  表示部
５  ＧＰＳ衛星
５００  防災用品リスト作成装置
５０１  防災用品情報記憶部
５０２  リスト作成手段
６００  端末装置
６０１  依頼手段
【図１】
2014119849.tif 000003
【図２】
2014119849.tif 000004
【図３】
2014119849.tif 000005
【図４】
2014119849.tif 000006
【図５】
2014119849.tif 000007
【図６】
2014119849.tif 000008
【図７】
2014119849.tif 000009
【図８】
2014119849.tif 000010
【図９】
2014119849.tif 000011
【図１０】
2014119849.tif 000012
【図１１】
2014119849.tif 000013
【図１２】
2014119849.tif 000014
【図１３】
2014119849.tif 000015